(57)【要約】【課題】比較的小型の電源を使用しても起動時の電源容量の不足を回避できるファンユニット及びそのファンユニットを備えた光回線終端装置を提供する。【解決手段】ファンユニット１４は、一定の順番で第１の回転数で起動する第１及び第２のファンモータ２２ａ，２２ｂと、第２のファンモータ２２ｂの回転が安定した後に前記第１の回転数よりも高速の第２の回転数で起動する第３のファンモータ２２ｃとを有する。第１及び第２のファンモータ２２ａ，２２ｂは、第３のファンモータ２２ｃの回転が安定した後に前記第２の回転数で回転する。【選択図】図４
2017135317.tif 000002
【特許請求の範囲】
【請求項１】
一定の順番で第１の回転数になるように起動する１番目から（Ｎ−１）番目（但し、Ｎは２以上の整数）までのファンモータと、
前記（Ｎ−１）番目のファンモータの起動開始から第１の時間経過後に前記第１の回転数よりも高速の第２の回転数となるように起動するＮ番目のファンモータとを有し、
前記１番目から前記（Ｎ−１）番目までのファンモータは、前記Ｎ番目のファンモータの起動開始から第２の時間経過後に前記第２の回転数に変更する
ことを特徴とするファンユニット。
【請求項２】
入力端に所定の電圧が供給されると所定の時間後に出力端に前記所定の電圧を出力するＮ個の遅延回路を有し、
ｉ番目（但し、ｉは１からＮまでの任意の数）のファンモータが、ｉ番目の前記遅延回路の出力端に接続されている
ことを特徴とする請求項１に記載のファンユニット。
【請求項３】
前記１番目から前記Ｎ番目の前記遅延回路が、直列に接続されていることを特徴とする請求項２に記載のファンユニット。
【請求項４】
一定の順番で第１の回転数になるように起動する１番目から（Ｎ−１）番目（但し、Ｎは２以上の整数）までのファンモータと、
前記（Ｎ−１）番目のファンモータの消費電力が第１の閾値より低くなった後に前記第１の回転数よりも高速の第２の回転数となるように起動するＮ番目のファンモータとを有し、
前記１番目から前記（Ｎ−１）番目までのファンモータは、前記Ｎ番目のファンモータの消費電力が第２の閾値より低くなった後に前記第２の回転数に変更する
ことを特徴とするファンユニット。
【請求項５】
制御盤と、
光ファイバと前記制御板とに接続されるＰＩＦ（PON Interface）盤と、
前記制御板及び前記ＰＩＦ盤を冷却するファンユニットとを有し、
前記ファンユニットは、
一定の順番で第１の回転数になるように起動する１番目から（Ｎ−１）番目（但し、Ｎは２以上の整数）までのファンモータと、前記（Ｎ−１）番目のファンモータの起動開始から第１の時間経過後に前記第１の回転数よりも高速の第２の回転数になるように起動するＮ番目のファンモータとを有し、
前記１番目から前記（Ｎ−１）番目までのファンモータは、前記Ｎ番目のファンモータの起動開始から第２の時間経過後に前記第２の回転数に変更する
ことを特徴とする光回線終端装置。
【請求項６】
前記制御盤及び前記ＰＩＦ盤をそれぞれ複数有することを特徴とする請求項５に記載の光回線終端装置。
【発明の詳細な説明】
【技術分野】
【０００１】
本発明は、ファンユニット及びそのファンユニットを備えた光回線終端装置に関する。
【背景技術】
【０００２】
ＰＯＮ（Passive Optical Network）システムでは、事業者側の施設及び加入者宅にそれぞれ光回線終端装置を設置し、それらの間を光ファイバで接続する。以下、事業者側の施設に設置される光回線終端装置をＯＬＴ（Optical Line Terminal）と呼び、加入者宅に設置される光回線終端装置をＯＮＵ（Optical Network Unit）と呼ぶ。
【０００３】
ＯＬＴとＯＮＵとの間には光スプリッタ（分岐装置）が設置され、１台のＯＬＴに複数のＯＮＵが接続される。
【０００４】
ＯＬＴは、マザーボートと、コネクタを介してマザーボートに接続される複数のユニットとを含んで構成される。マザーボートに接続されるユニットには、制御盤、ＰＩＦ（PON Interface）盤、電源盤、及びＦＡＮ盤などがある。また、ＦＡＮ盤には、複数のファン（送風機）が設けられている。ここでは、ＯＬＴのファンユニットを、ＦＡＮ盤と呼んでいる。
【０００５】
ＯＬＴには、制御盤、ＰＩＦ盤、電源盤及びＦＡＮ盤がそれぞれ複数設けられており、どれかの盤（ユニット）が故障してもサービスが中断しないように冗長性をもたせている。また、それらの盤は、電源を切断することなく交換が可能な構造（いわゆる、ホットスワップ）となっている。
【０００６】
ところで、ＦＡＮ盤のファンが回転を開始するときには大量の電流が流れる。そのため、ＯＬＴが起動するときには最初にＦＡＮ盤が起動し、ＦＡＮ盤のファンの回転が安定してから制御盤及びＰＩＦ盤が起動するようになっている。また、短時間であれば、ＦＡＮ盤が故障しても制御盤及びＰＩＦ盤の動作に支障が出ないようになっている。
【０００７】
なお、複数のモータを起動させるときに、それらのモータを所定の時間毎に順次起動させることで、最大電流を抑制する技術が知られている（例えば、引用文献１〜３参照）。
【先行技術文献】
【特許文献】
【０００８】
【特許文献１】特開２０００−２１８８６４号公報
【特許文献２】特開２００１−１１９９６８号公報
【特許文献３】特開２００４−１２６６９９号公報
【発明の概要】
【発明が解決しようとする課題】
【０００９】
前述したように、ＯＬＴでは、ＦＡＮ盤のファンの回転が安定してから制御盤及びＰＩＦ盤が起動するため、比較的小さな電源容量で運転することが可能である。しかし、ＦＡＮ盤が故障したときにはＦＡＮ盤を正常なものと交換し、制御盤及びＰＩＦ盤が稼働している状態でＦＡＮ盤を起動させることになる。このとき、ＦＡＮ盤に大きな電流が流れるので、電源容量が不足して制御盤及びＰＩＦ盤の動作が不安定になることがある。
【００１０】
このような不具合を回避するために容量が大きな電源を使用することも考えられるが、装置が大型化するだけでなく、コストが高くなるという問題がある。
【００１１】
開示の技術は、比較的小型の電源を使用しても起動時の電源容量の不足を回避できるファンユニット及びそのファンユニットを備えた光回線終端装置を提供することを目的とする。
【課題を解決するための手段】
【００１２】
開示の技術の一観点によれば、一定の順番で第１の回転数になるように起動する１番目から（Ｎ−１）番目（但し、Ｎは２以上の整数）までのファンモータと、前記（Ｎ−１）番目のファンモータの起動開始から第１の時間経過後に前記第１の回転数よりも高速の第２の回転数となるように起動するＮ番目のファンモータとを有し、前記１番目から前記（Ｎ−１）番目までのファンモータは、前記Ｎ番目のファンモータの起動開始から第２の時間経過後に前記第２の回転数に変更するファンユニットが提供される。
【００１３】
開示の技術の他の一観点によれば、制御盤と、光ファイバと前記制御板とに接続されるＰＩＦ（PON Interface）盤と、前記制御板及び前記ＰＩＦ盤を冷却するファンユニットとを有し、前記ファンユニットは、一定の順番で第１の回転数になるように起動する１番目から（Ｎ−１）番目（但し、Ｎは２以上の整数）までのファンモータと、前記（Ｎ−１）番目のファンモータの起動開始から第１の時間経過後に前記第１の回転数よりも高速の第２の回転数になるように起動するＮ番目のファンモータとを有し、前記１番目から前記（Ｎ−１）番目までのファンモータは、前記Ｎ番目のファンモータの起動開始から第２の時間経過後に前記第２の回転数に変更する光回線終端装置が提供される。
【発明の効果】
【００１４】
上記一観点に係るファンユニット及び光回線終端装置によれば、比較的小型の電源を使用しても起動時の電源容量の不足を回避できる。
【図面の簡単な説明】
【００１５】
【図１】図１は、ＯＬＴ（光回線終端装置）の装置構成を示す模式図である。
【図２】図２は、ＯＬＴの起動時及び通常動作時における消費電力を示す図である。
【図３】図３は、ＦＡＮ盤を１枚交換するとき、及び２枚同時に交換するときの消費電力を示す図である。
【図４】図４は、実施形態に係るＦＡＮ盤（ファンユニット）の一例を示す斜視図である。
【図５】図５は、実施形態に係るＦＡＮ盤の回路構成を示すブロック図である。
【図６】図６は、実施形態に係るＦＡＮ盤の起動時の動作を示すタイムチャートである。
【図７】図７は、ファンモータの起動中におけるＯＬＴの消費電力を示す図である。
【図８】図８は、実施形態のＯＬＴを用いたＰＯＮシステムの概要を示す図である。
【発明を実施するための形態】
【００１６】
以下、実施形態について説明する前に、実施形態の理解を容易にするための予備的事項について説明する。ここでは、ＯＬＴ（事業者側光回線終端装置）のＦＡＮ盤について説明している。
【００１７】
図１は、ＯＬＴの装置構成を示す模式図である。
【００１８】
図１に示すＯＬＴ１０では、２枚の電源盤１１ａ，１１ｂと、２枚の制御盤１２ａ，１２ｂと、４枚のＰＩＦ盤１３ａ〜１３ｄと、２枚のＦＡＮ盤１４ａ，１４ｂとを有している。それらの電源盤１１ａ，１１ｂ、制御盤１２ａ，１２ｂ、ＰＩＦ盤１３ａ〜１３ｄ及びＦＡＮ盤１４ａ，１４ｂは、コネクタ（図示せず）を介してマザーボード（図示せず）に接続されている。
【００１９】
図２は、ＯＬＴ１０の起動時及び通常動作時における消費電力を示す図である。なお、ＯＬＴ１０の電源容量は１２００Ｗとする。
【００２０】
図２に示すように、ＯＬＴ１０の起動初期には、ＦＡＮ盤１４ａ，１４ｂのファンが回転を開始する。ＦＡＮ盤１４ａ，１４ｂは、ファンが回転し始めるときに、それぞれ最大３４２Ｗの電力を消費する。また、ＦＡＮ盤１４ａ，１４ｂのファンの回転が安定するまでに最大１０秒かかる。但し、上記の数値はいずれもＦＡＮ盤１４ａ，１４ｂに使用されるファンの仕様上の値の一例である。
【００２１】
ＦＡＮ盤１４ａ，１４ｂのファンが起動するときには、制御盤１２ａ，１２ｂ及びＰＩＦ盤１３ａ〜１３ｄは停止している。そのため、ＯＬＴ１０の消費電力は６８４Ｗ（＝３４２Ｗ×２）となる。
【００２２】
ＦＡＮ盤１４ａ，１４ｂのファンの起動開始から約１０秒経過すると、ファンの回転が安定する。ファンの回転が安定すると、ＦＡＮ盤１４ａ，１４ｂの消費電力は２７０Ｗ（＝１３５Ｗ×２）となる。
【００２３】
次いで、制御盤１２ａ，１２ｂ及びＰＩＦ盤１３ａ〜１３ｄが起動する。このときの制御盤１２ａ，１２ｂの消費電力は９０Ｗ（＝４５Ｗ×２）、ＰＩＦ盤１３ａ〜１３ｄの消費電力は７２０Ｗ（＝１８０Ｗ×４）となるので、ＯＬＴ１０の消費電力は１０８０Ｗとなる。
【００２４】
その後、通常動作に移行するが、通常動作時のＯＬＴ１０の消費電力も１０８０Ｗである。
【００２５】
このように、起動時から通常動作時に至るまで、ＯＬＴ１０の消費電力は電源容量（１２００Ｗ）を超えることはない。
【００２６】
図３は、ＦＡＮ盤を１枚交換するとき、及び２枚同時に交換するときの消費電力を示す図である。
【００２７】
ＯＬＴが稼働しているときにＦＡＮ盤が故障すると、制御盤１２ａ，１２ｂ及びＰＩＦ盤１３ａ〜１３ｄが稼働している状態で故障したＦＡＮ盤を正常なものと交換する。従って、交換したＦＡＮ盤が起動するときには、ＦＡＮ盤だけでなく、制御盤１２ａ，１２ｂ及びＰＩＦ盤１３ａ〜１３ｄも電力を消費する。
【００２８】
図３に示すように、ＦＡＮ盤を１枚交換するときには最大で１２８７Ｗの電力を消費し、２枚交換するときには最大で１４９４Ｗの電力を消費する。いずれも場合もＯＬＴ１０の電源容量（１２００Ｗ）を超えてしまい、装置の動作が不安定になるおそれがある。
【００２９】
以下の実施形態では、比較的小型の電源を使用しても起動時の電源容量の不足を回避できるファンユニットについて説明する。
【００３０】
（実施形態）
図４は、実施形態に係るＦＡＮ盤（ファンユニット）の一例を示す斜視図である。また、図５は実施形態に係るＦＡＮ盤の回路構成を示すブロック図、図６は同じくそのＦＡＮ盤の起動時の動作を示すタイムチャートである。なお、本実施形態でも、ＯＬＴのＦＡＮ盤について説明している。また、図５において、ＦＡＮ盤１４及び制御盤１２は、図１のＦＡＮ盤１４ａ，１４ｂ及び制御盤１２ａ，１２ｂに対応している。
【００３１】
図４に示すように、本実施形態に係るＦＡＮ盤１４は、３個のファン２１ａ，２１ｂ，２１ｃを有している。それらのファン２１ａ，２１ｂ，２１ｃは、図５に示すファンモータ２２ａ，２２ｂ，２２ｃによりそれぞれ回転する。
【００３２】
ＦＡＮ盤１４には、ファンモータ２２ａ，２２ｂ，２２ｃ以外にも、突入電流防止回路２３ａ，２３ｂ，２３ｃ，２３ｄ、低速制御回路２４ａ，２４ｂ、電源監視回路２５、ＲＭＶ制御回路２６、及び自立制御切替回路２７などが設けられている。
【００３３】
一方、ＦＮＡ盤１４に接続される制御盤１２には、電源回路４１、ファンモータ回転制御回路４２、及びＦＡＮ＿ＬＥＤ制御回路４３等が設けられている。電源回路４１は、電源盤（図示せず）から−４８Ｖの電圧が供給され、ＦＡＮ盤１４の自律制御切替回路２７に＋３Ｖの電圧を出力する。
【００３４】
図５に示すように、電源盤（図示せず）からＦＡＮ盤１４の端子３１には、電圧が−４８Ｖの電力が供給される。端子３１と突入電流防止回路２３ａとの間には、ヒューズ３２が接続されている。
【００３５】
突入電流防止回路２３ａ〜２３ｄは、突入電流から後段の回路を保護するために設けられている。また、突入電流防止回路２３ａ，２３ｂ，２３ｃは、以下に記載するように、入力端に所定の電圧が供給されると、所定の時間だけ遅れて出力端に所定の電圧を出力する。突入電流防止回路２３ａ，２３ｂ，２３ｃは、遅延回路の一例である。
【００３６】
突入電流防止回路２３ａは、入力端に−４８Ｖの電圧が供給されると、約０．２秒後に出力端から−４８Ｖの電圧を出力する。この電圧は、ファンモータ２２ａ、低速制御回路２４ａ、及び突入電流防止回路２３ｂの入力端に供給される。また、ＡＣＴ＿ＬＥＤ制御回路２８は、突入電流防止回路２３ａから−４８Ｖの電圧が出力されると、緑色のＬＥＤ（Light-Emitting Diode）を点灯する。
【００３７】
ファンモータ２２ａは、突入電流防止回路２３ａから−４８Ｖの電圧が供給されると起動を開始（回転を開始）する（図６参照）。但し、低速制御回路２４ａから供給される信号により、ファンモータ２２ａの回転数は低速に制御される。ここでは、低速制御回路２４ａにより、ファンモータ２２ａの回転数（第１の回転数）は仕様上の最低回転数（この例では、４５００ｒｐｍ）に制限されるものとする。
【００３８】
なお、ファンモータ２２ａは起動を開始してから回転が安定するまでに約１０秒かかる。ファンモータ２２ｂ，２２ｃについても同様である。ファンモータ２２ａ，２２ｂ，２２ｃの種類及び制御方法は特に限定されないが、ここではファンモータ２２ａ，２２ｂ，２２ｃとして、ＰＷＭ（Pulse Width Modulation）により回転数を制御するＤＣ（Direct-Current）モータを使用するものとする。
【００３９】
また、ファンモータ２２ａ，２２ｂ，２２ｃは、それぞれ異常が発生すると、ＦＡＮ１＿ＥＱＰ信号、ＦＡＮ２＿ＥＱＰ信号、ＦＡＮ３＿ＥＱＰ信号を出力する。それらのＦＡＮ１＿ＥＱＰ信号、ＦＡＮ２＿ＥＱＰ信号、ＦＡＮ３＿ＥＱＰ信号は、ＯＲ回路３１ａ，３１ｂ，３１ｃを介して制御盤１２のＦＡＮ＿ＬＥＤ制御回路４３に入力されるとともに、ＯＲ回路３２を介して自律制御切替回路２７に入力される。
【００４０】
突入電流防止回路２３ｂは、入力端に−４８Ｖの電力が供給されると、約１２秒後に出力端から−４８Ｖの電圧を出力する（図６参照）。この電圧は、ファンモータ２２ｂ、低速制御回路２４ｂ、及び突入電流防止回路２３ｃの入力端に供給される。
【００４１】
突入電流防止回路２３ａが−４８Ｖの電圧の供給を開始してから突入電流防止回路２３ｂが−４８Ｖの電圧を出力するまでに約１２秒の時間がある。そのため、突入電流防止回路２３ｂが−４８Ｖの電圧を出力するときには、ファンモータ２２ａの回転数は安定している。
【００４２】
ファンモータ２２ａの回転が安定すると、ファンモータ２２ａに流れる電流は小さくなる。ファンモータ２２ｂ，２２ｃについても同様である。ここでは、ファンモータ２２ａ，２２ｂ，２２ｃは、いずれも回転を開始するときに１１４．３Ｗの電力を消費し、４５００ｒｐｍで回転が安定した後は７．３Ｗの電力を消費するものとする（図６参照）。
【００４３】
ファンモータ２２ｂは、突入電流防止回路２３ｂから−４８Ｖの電圧が供給されると、回転を開始する。但し、低速制御回路２４ｂから供給される信号により、ファンモータ２２ｂの回転数は低速に制御される。ここでは、低速制御回路２４ｂにより、ファンモータ２２ｂの回転数（第１の回転数）も４５００ｒｐｍに制御されるものとする。
【００４４】
ファンモータ２２ｂが回転を開始するときには、前述したように１１４．３Ｗの電力を消費する。一方、ファンモータ２２ｂが回転を開始するときには、ファンモータ２２ａの回転が安定しており、ファンモータ２２ａで消費する電力は７．３Ｗになっている。従って、ファンモータ２２ｂが回転を開始するときのＦＡＮ盤１４の消費電力は１２１．５Ｗ（＝７．２Ｗ＋１１４．３Ｗ）となる（図６参照）。
【００４５】
突入電流防止回路２３ｃは、入力端に−４８Ｖの電力が供給されると、約１２秒（第１の時間）経過後に出力端から−４８Ｖの電圧を出力する。この電圧は、ファンモータ２３ｃ、及び突入電流防止回路２３ｄの入力端に供給される。
【００４６】
ファンモータ２２ｃは、突入電流防止回路２３ｃから−４８Ｖの電圧が供給されると回転を開始する。このとき、ファンモータ２２ｃには低速制御回路が設けられていないので、ファンモータ２２ｃは第１の回転数よりも高速の第２の回転数で回転する。ここでは、第２の回転数を１５０００ｒｐｍとする。
【００４７】
突入電流防止回路２３ｂが−４８Ｖの電圧の供給を開始してから突入電流防止回路２３ｃが−４８Ｖの電圧を出力するまでには約１２秒の時間がある。そのため、突入電流防止回路２３ｃが−４８Ｖの電圧を出力するときには、ファンモータ２２ａだけでなく、ファンモータ２２ｂの回転数も安定している。
【００４８】
従って、ファンモータ２２ｃが回転を開始するときのＦＡＮ盤１４の消費電力は、１２８．７Ｗ（＝７．２Ｗ×２＋１１４．３Ｗ）となる（図６参照）。
【００４９】
ファンモータ２２ｃは、回転を開始してから約１０秒後に回転が安定する。ここでは、ファンモータ２２ｃが第２の回転数で回転しているときの消費電力を、４５．１２Ｗとする。従って、ファンモータ２２ｃが第２の回転数で安定回転し、ファンモータ２２ａ，２２ｂが第１の回転数で安定回転しているときのＦＡＮ盤１４の消費電力は、５９．５７Ｗ（＝７．２Ｗ×２＋４５．１２Ｗ）となる。
【００５０】
突入電流防止回路２３ｄは、入力端に−４８Ｖの電力が供給されると、約１２秒（第２の時間）経過後に出力端から−４８Ｖの電圧を出力する。この電圧は、低速制御回路２４ａ，２４ｂ及び電源監視回路２５に供給される。
【００５１】
低速制御回路２４ａ，２４ｂは、突入電流防止回路２３ｄから−４８Ｖの電圧が供給されると、ファンモータ２２ａ，２２ｂに対する低速制御を終了する。これにより、ファンモータ２２ａ，２２ｂも、第２の回転数で回転する。ファンモータ２２ａ，２２ｂが第２の回転数で安定回転しているときの消費電力は、ファンモータ２２ｃと同様に４５．１２Ｗである。従って、ファンモータ２２ａ，２２ｂ，２２ｃがいずれも第２の回転数で安定回転しているときのＦＡＮ盤の消費電力は１３５Ｗ（＝４５．１２Ｗ×３）となる（図６参照）。
【００５２】
その後、ファンモータ２２ａ，２２ｂ，２２ｃは、制御盤１２のファンモータ回転制御回路４２から出力される信号に応じた回転数で回転する。
【００５３】
上述したように、本実施形態では、ファンモータ２２ａ，２２ｂ，２２ｃを所定の時間毎に順次起動させる。このとき、１番目及び２番目に起動するファンモータ２２ａ，２２ｂについては低速（第１の回転数）で起動し、最後に起動するファンモータ２２ｃについては高速（第２の回転数）で起動する。そして、ファンモータ２２ｃの回転が安定すると、ファンモータ２２ａ，２２ｂも高速回転（第２の回転数）に移行する。
【００５４】
図７は、ファンモータ２３ａ，２３ｂ，２３ｃの起動中におけるＯＬＴ１０の消費電力（制御盤、ＰＩＦ盤及びＦＡＮ盤の消費電力の合計）を示す図である。図７では、ＦＡＮ盤１４を２枚同時に交換するときの消費電力を示している。
【００５５】
図７に示すように、ファンモータ２２ａが起動するときの消費電力は１０３８．６Ｗ、ファンモータ２２ｂが起動するときの消費電力は１０５３Ｗ、ファンモータ２２ｃが起動するときの消費電力は１０６７．４Ｗである。また、ファンモータ２２ａ〜２２ｃがいずれも高速回転するときの消費電力は１０８０．８Ｗである。
【００５６】
この図７に示すように、本実施形態によれば、ＦＡＮ盤１４の交換時のＯＬＴ１０の消費電力を電源容量（１２００Ｗ）以下に抑えることができる。その結果、電源容量不足に起因する動作不良が回避され、ＰＯＮシステムの信頼性がより一層向上するという効果を奏する。
【００５７】
なお、ＲＭＶ制御回路２６はシグナルグラウンド（ＳＧ）に接続され、ＦＡＮ盤１４とマザーボートとの接続状態に異常があれば制御盤１２のＦＡＮ＿ＬＥＤ制御回路４３にＦＡＮ＿ＲＭＶ信号を出力する。
【００５８】
また、電源監視回路２５は、突入電流防止回路２３ｄの出力に異常がある場合、異常を示す信号を、ＯＲ回路３１ａ，３１ｂ，３１ｃを介して制御盤１２のＦＡＮ＿ＬＥＤ制御回路４３に出力する。上記の信号は、ＯＲ回路３２を介して自律制御切替信号２７にも伝達される。
【００５９】
ＦＡＮ＿ＬＥＤ制御回路２９は、端子３１に供給される電圧に異常がある場合や、自律制御切替回路２７の出力又は制御盤１２のＦＡＮ＿ＬＥＤ制御回路４３の出力（ＡＬＭ＿ＴＥＳＴ信号）に応じて、赤色のＬＥＤを点灯する。
【００６０】
（変形例）
上述した実施形態ではＦＡＮ盤１４のファンモータの数を３個としているが、ファンモータの数は２個でもよく、４個以上でもよい。ファンモータの数をＮ（但し、Ｎは２以上の整数）としたときに、１番目からＮ−１番目までのファンモータについては上述のファンモータ２２ａ，２２ｂのように時間をずらしながら低速（第１の回転数）で起動する。そして、Ｎ番目のファンモータについては高速（第２の回転数）で起動し、第２の時間が経過してＮ番目のファンモータの回転が安定したら、１番目からＮ−１番目までのファンモータを高速回転にすればよい。
【００６１】
また、上述した実施形態では突入電流防止回路２３ａ，２３ｂ，２３ｃにそれぞれ１台のファンモータを接続した場合について説明しているが、突入電流防止回路２３ａ，２３ｂ，２３ｃにそれぞれ複数のファンモータを接続してもよい。
【００６２】
その場合は、突入電流防止回路２３ａ，２３ｂ，２３ｃの各々に接続される複数のファンモータをそれぞれ１番目のファンモータ、２番目のファンモータ、３番目のファンモータとする。
【００６３】
更に、上記の実施形態では、ファンモータ２２ｂの起動開始から第１の時間（上記の例では１２秒）経過後にファンモータ２２ｃを高速で起動し、ファンモータ２２ｃの起動開始から第２の時間（上記の例では１２秒）経過後にファンモータ２２ａ，２２ｂの回転を高速にしている。
【００６４】
しかし、例えばファンモータ２２ｂの消費電力が第１の閾値以下になったときにファンモータ２２ｂの回転が安定したとしてファンモータ２２ｃの起動を開始し、ファンモータ２２ｃの消費電力が第２の閾値以下になったときにファンモータ２２ｃの回転が安定したとしてファンモータ２２ａ，２２ｂの回転を高速にしてもよい。
【００６５】
例えば、前述の実施形態の場合、第１の閾値を７．２Ｗ又はそれよりも若干大きい値とし、第２の閾値を４５．１２Ｗ又はそれよりも若干大きい値とすればよい。
【００６６】
前述の実施形態ではＯＬＴのＦＡＮ盤（ファンユニット）について説明したが、開示の技術はＯＬＴ以外の電子機器のファンユニットに適用することができる。
【００６７】
（ＰＯＮシステム）
図８は、上述の実施形態で説明したＯＬＴ１０を用いたＰＯＮシステムの概要を示す図である。
【００６８】
この図８に示すように、ＯＬＴ１０の制御盤１２はＬＡＮケーブル５５ａを介して制御端末５１に接続される。また、ＰＩＦ盤１３は、光ファイバ５５ｂを介して光スプリッタ５２に接続され、光スプリッタ５２と各ＯＮＵ５３との間は光ファイバ５５ｃにより接続される。更に、各ＯＮＵ５３には、それぞれユーザ端末５４ａや光電話５４ｂ等が接続される。
【符号の説明】
【００６９】
１０：ＯＬＴ（光回線終端装置）、１１ａ，１１ｂ：電源盤、１２、１２ａ，１２ｂ：制御盤、１３ａ〜１３ｄ：ＰＩＦ盤、１４、１４ａ，１４ｂ：ＦＡＮ盤、２１ａ，２１ｂ，２１ｃ：ファン、２２ａ，２２ｂ，２２ｃ：ファンモータ、２３ａ〜２３ｄ：突入電流防止回路、２４ａ，２４ｂ：低速制御回路、２５：電源監視回路、２６：ＲＭＶ制御回路、２７：自律制御切替回路、３１：端子、３２：ヒューズ、４１：電源回路、４２：ファンモータ回転制御回路、４３：ＦＡＮ＿ＬＥＤ制御回路、５１：制御端末、５２：光スプリッタ、５３：ＯＮＵ、５４ａ：ユーザ端末、５４ｂ：光電話、５５ａ：ＬＡＮケーブル、５５ｂ，５５ｃ：光ファイバ。
【図１】
2017135317.tif 000003
【図２】
2017135317.tif 000004
【図３】
2017135317.tif 000005
【図４】
2017135317.tif 000006
【図５】
2017135317.tif 000007
【図６】
2017135317.tif 000008
【図７】
2017135317.tif 000009
【図８】
2017135317.tif 000010